(57)【要約】【課題】本発明は水性ペン芯の自動取替装置を開示した。【解決手段】本発明は水性ペン芯の自動取替装置を公示し、筐体を含み、前記筺体の中には左方に開口した左内部チャンバが設置され、前記左内部チャンバの右側には上方に開口し、且つ前記左内部チャンバと連通した右内部チャンバが設置され、前記右内部チャンバの後端内壁には上突出台が固定的に連結され、前記右内部チャンバの後端内壁には前記上突出台の下側にある中突出台が固定的に連結され、前記右内部チャンバの後端内壁には前記上突出台の左下方にある下突出台が固定的に連結され、本発明は高効率のペン芯自動取替装置を設計し、ペン芯を取り替えることと同時に、使用済みのペン芯を収集することもでき、取り替えと処分の手間を省ける。【選択図】図１
2020183103.tif 000002
【特許請求の範囲】
【請求項１】
正面視で、筐体を含み、前記筺体の中には左方に開口した左内部チャンバが設置され、前記左内部チャンバの右側には上方に開口し、且つ前記左内部チャンバと連通した右内部チャンバが設置され、前記左内部チャンバの左側の開口と前記右内部チャンバの上側の開口とにはそれぞれ蓋開け装置が設置され、前記左内部チャンバの開口にある前記蓋開け装置が前記筺体を開けることによって前記左内部チャンバの中にある旧ペン芯を取り出すことができ、前記右内部チャンバの開口にある前記蓋開け装置が前記筺体を開けることによって前記右内部チャンバの中にはある新ペン芯を取り替えることができ、前記右内部チャンバの後端内壁には上突出台が固定的に連結され、前記右内部チャンバの後端内壁には前記上突出台の下側にある中突出台が固定的に連結され、前記右内部チャンバの後端内壁には前記上突出台の左下方にある下突出台が固定的に連結され、前記右内部チャンバの後端内壁面には前記下突出台の下方にある妨害板が固定的に連結され、前記妨害板には妨害板抜き穴が設置され、前記下突出台には溝車装置が回転可能に連結され、前記溝車装置は大量に新ペン芯を装填することができ、且つ一回の作業においてペン芯を一本しか投入しないのであり、前記溝車装置の下方には棒回転装置が連結され、前記棒回転装置はペンの軸を回すことができ、前記棒回転装置の下部分には機械爪が固定的に連結され、前記右内部チャンバの中には左右に伸びたネジボルトが固定的に連結され、前記右内部チャンバの中には左右に伸び、且つ前記ネジボルトの下方にある左モータ軸が回転可能に連結され、前記左モータ軸の左端には前記右内部チャンバの内壁に固定された左モータが伝動可能に連結され、前記左モータ軸の右端には摩擦歯車が固定的に連結され、前記ネジボルトと前記機械爪とはネジ山によって連結され、前記右内部チャンバの内壁には前記左モータの上方にある左位置制限スイッチが固定的に連結され、前記右内部チャンバの内壁には前記左モータの下方にある右位置制限スイッチが固定的に連結されていることを特徴とする水性ペン芯の自動取替装置。
【請求項２】
前記溝車装置は上下に伸びた溝車軸を含み、前記溝車軸は前記下突出台の上側端面に回転可能に連結され、前記溝車軸には前記右内部チャンバの中にある溝車が設置され、前記溝車には溝車抜き穴が九つ環状に配置され、前記溝車には前記溝車抜き穴の反時計方向側にあるスライド溝が設置され、前記中突出台には上下に伸び、且つ前記右内部チャンバの中にある斜歯歯車軸が回転可能に連結され、前記斜歯歯車軸の頂部には前記上突出台の内壁に固定された主モータが伝動可能に連結され、前記斜歯歯車軸の上部分には前記溝車と当接し、且つ前記主モータの下方にある回し輪が設置され、前記斜歯歯車軸の中部分には前記回し輪の下方にある回し棒が固定的に連結され、前記筺体の右側内壁面には前記回し棒の右側にある上位置制限スイッチが固定的に連結され、
溝車と回し棒との構成によって、ペン芯一つ一つの投入を可能にすることを特徴とする請求項１に記載の水性ペン芯の自動取替装置。
【請求項３】
前記右内部チャンバの前記蓋開け装置を例とし、前記蓋開け装置は前記右内部チャンバの開口のところの右端内壁に設置された空き溝を含み、前記空き溝の中には上スライドブロックがスライド可能に連結され、前記上スライドブロックの下端面には上ばねが固定的に連結され、前記上ばねの下部分は前記空き溝の中の下壁面に固定的に連結され、前記右内部チャンバの開口のところにはカバープレートが回転可能に連結され、前記右内部チャンバの右側端面には前記空き溝の右側にある上引掛り板がヒンジで連結され、前記上引掛り板はカバープレートと引っ掛かって連結され、前記上引掛り板の下部分の左壁面には右ばねが固定的に連結され、前記右ばねの下端は前記右内部チャンバの外壁面に固定的に連結され、
前記カバープレートの反転により、右内部チャンバの開閉を制限でき、取り替えに便利であることを特徴とする請求項１に記載の水性ペン芯の自動取替装置。
【請求項４】
前記棒回転装置は前記回し棒の下方にある斜歯歯車を含み、前記斜歯歯車は前記斜歯歯車軸に固定的に連結され、前記右内部チャンバの中には前後に伸び、且つ前記斜歯歯車軸の右側にある大型斜歯歯車軸が回転可能に連結され、前記大型斜歯歯車軸には前記斜歯歯車と噛み合うように連結された大型斜歯歯車が設置され、前記大型斜歯歯車と前記斜歯歯車の速度伝達比は一対一であり、前記大型斜歯歯車は欠歯歯車であり、前記大型斜歯歯車には連結棒がヒンジで連結され、前記連結棒の下部分には前記ネジボルトの右側に位置した揺動棒がヒンジで連結され、前記右内部チャンバの中の中部分には揺動棒軸が回転可能に連結され、前記揺動棒軸は前記揺動棒とヒンジで連結され、前記揺動棒には前記機械爪が固定的に連結され、
クランク機構に擬似した構成により、ペンの軸を回すことができることを特徴とする請求項１又は請求項２に記載の水性ペン芯の自動取替装置。
【請求項５】
前記ネジボルトのところの前記機械爪を例とし、前記機械爪は前記ネジボルトとネジ山によって連結された機械爪本体を含み、前記機械爪本体と前記摩擦歯車とは噛み合うように連結され、前記機械爪本体には爪空き溝が上下対称に設置され、前記機械爪本体には爪が上下対称に、且つヒンジで連結され、前記爪の右部には滑り止めブロックが上下対称に、且つ固定的に連結され、前記爪空き溝の左側内壁面には機械爪ばねが上下対称に、且つ固定的に連結され、前記機械爪ばねの右側は前記爪に上下対称に、且つ固定的に連結され、
弾性を持つように連結された前記爪により、異なる直径を持つペンの軸を固定できることを特徴とする請求項１に記載の水性ペン芯の自動取替装置。
【発明の詳細な説明】
【技術分野】
【０００１】
本発明は文房具分野を取り上げ、具体的には水性ペン芯の自動取替装置である。
【背景技術】
【０００２】
今時、水性ペン芯の取り替えはすべて手で行われ、自動的な取替装置はまだない。そのため、本発明は高効率のペン芯自動取替装置を設計し、ペン芯を取り替えることと同時に、使用済みのペン芯を収集することもでき、取り替えと処分の手間を省ける。
【先行技術文献】
【特許文献】
【０００３】
【特許文献１】中国特許出願公開第１０７６２７７５９号明細書
【発明の概要】
【発明が解決しようとする課題】
【０００４】
本発明は水性ペン芯の自動取替装置を提供し、既存技術にある上記の欠点を解消することを目的とする。
【課題を解決するための手段】
【０００５】
本発明の水性ペン芯の自動取替装置は、筐体を含み、前記筺体の中には左方に開口した左内部チャンバが設置され、前記左内部チャンバの右側には上方に開口し、且つ前記左内部チャンバと連通した右内部チャンバが設置され、前記左内部チャンバの左側の開口と前記右内部チャンバの上側の開口とにはそれぞれ蓋開け装置が設置され、前記左内部チャンバの開口にある前記蓋開け装置が前記筺体を開けることによって前記左内部チャンバの中にある旧ペン芯を取り出すことができ、前記右内部チャンバの開口にある前記蓋開け装置が前記筺体を開けることによって前記右内部チャンバの中にはある新ペン芯を取り替えることができ、前記右内部チャンバの後端内壁には上突出台が固定的に連結され、前記右内部チャンバの後端内壁には前記上突出台の下側にある中突出台が固定的に連結され、前記右内部チャンバの後端内壁には前記上突出台の左下方にある下突出台が固定的に連結され、前記右内部チャンバの後端内壁面には前記下突出台の下方にある妨害板が固定的に連結され、前記妨害板には妨害板抜き穴が設置され、前記下突出台には溝車装置が回転可能に連結され、前記溝車装置は大量に新ペン芯を装填することができ、且つ一回の作業においてペン芯を一本しか投入しないのであり、前記溝車装置の下方には棒回転装置が連結され、前記棒回転装置はペンの軸を回すことができ、前記棒回転装置の下部分には機械爪が固定的に連結され、前記右内部チャンバの中には左右に伸びたネジボルトが固定的に連結され、前記右内部チャンバの中には左右に伸び、且つ前記ネジボルトの下方にある左モータ軸が回転可能に連結され、前記左モータ軸の左端には前記右内部チャンバの内壁に固定された左モータが伝動可能に連結され、前記左モータ軸の右端には摩擦歯車が固定的に連結され、前記ネジボルトと前記機械爪とはネジ山によって連結され、前記右内部チャンバの内壁には前記左モータの上方にある左位置制限スイッチが固定的に連結され、前記右内部チャンバの内壁には前記左モータの下方にある右位置制限スイッチが固定的に連結されている。
【０００６】
優選的に、前記溝車装置は上下に伸びた溝車軸を含み、前記溝車軸は前記下突出台の上側端面に回転可能に連結され、前記溝車軸には前記右内部チャンバの中にある溝車が設置され、前記溝車には溝車抜き穴が九つ環状に配置され、前記溝車には前記溝車抜き穴の反時計方向側にあるスライド溝が設置され、前記中突出台には上下に伸び、且つ前記右内部チャンバの中にある斜歯歯車軸が回転可能に連結され、前記斜歯歯車軸の頂部には前記上突出台の内壁に固定された主モータが伝動可能に連結され、前記斜歯歯車軸の上部分には前記溝車と当接し、且つ前記主モータの下方にある回し輪が設置され、前記斜歯歯車軸の中部分には前記回し輪の下方にある回し棒が固定的に連結され、前記筺体の右側内壁面には前記回し棒の右側にある上位置制限スイッチが固定的に連結され、
溝車と回し棒との構成によって、ペン芯一つ一つの投入を可能にする。
【０００７】
優選的に、前記右内部チャンバの前記蓋開け装置を例とし、前記蓋開け装置は前記右内部チャンバの開口のところの右端内壁に設置された空き溝を含み、前記空き溝の中には上スライドブロックがスライド可能に連結され、前記上スライドブロックの下端面には上ばねが固定的に連結され、前記上ばねの下部分は前記空き溝の中の下壁面に固定的に連結され、前記右内部チャンバの開口のところにはカバープレートが回転可能に連結され、前記右内部チャンバの右側端面には前記空き溝の右側にある上引掛り板がヒンジで連結され、前記上引掛り板はカバープレートと引っ掛かって連結され、前記上引掛り板の下部分の左壁面には右ばねが固定的に連結され、前記右ばねの下端は前記右内部チャンバの外壁面に固定的に連結され、
前記カバープレートの反転により、右内部チャンバの開閉を制限でき、取り替えに便利である。
【０００８】
優選的に、前記棒回転装置は前記回し棒の下方にある斜歯歯車を含み、前記斜歯歯車は前記斜歯歯車軸に固定的に連結され、前記右内部チャンバの中には前後に伸び、且つ前記斜歯歯車軸の右側にある大型斜歯歯車軸が回転可能に連結され、前記大型斜歯歯車軸には前記斜歯歯車と噛み合うように連結された大型斜歯歯車が設置され、前記大型斜歯歯車と前記斜歯歯車の速度伝達比は一対一であり、前記大型斜歯歯車は欠歯歯車であり、前記大型斜歯歯車には連結棒がヒンジで連結され、前記連結棒の下部分には前記ネジボルトの右側に位置した揺動棒がヒンジで連結され、前記右内部チャンバの中の中部分には揺動棒軸が回転可能に連結され、前記揺動棒軸は前記揺動棒とヒンジで連結され、前記揺動棒には前記機械爪が固定的に連結され、
クランク機構に擬似した構成により、ペンの軸を回すことができる。
【０００９】
優選的に、前記ネジボルトのところの前記機械爪を例とし、前記機械爪は前記ネジボルトとネジ山によって連結された機械爪本体を含み、前記機械爪本体と前記摩擦歯車とは噛み合うように連結され、前記機械爪本体には爪空き溝が上下対称に設置され、前記機械爪本体には爪が上下対称に、且つヒンジで連結され、前記爪の右部には滑り止めブロックが上下対称に、且つ固定的に連結され、前記爪空き溝の左側内壁面には機械爪ばねが上下対称に、且つ固定的に連結され、前記機械爪ばねの右側は前記爪に上下対称に、且つ固定的に連結され、
弾性を持つように連結された前記爪により、異なる直径を持つペンの軸を固定できる。
【発明の効果】
【００１０】
本発明のメリットは：本発明は高効率のペン芯自動取替装置を設計し、ペン芯を取り替えることと同時に、使用済みのペン芯を収集することもでき、取り替えと処分の手間を省ける。
【図面の簡単な説明】
【００１１】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１２】
【図１】図１は本発明の水性ペン芯の自動取替装置の全体構成略図
【図２】図２は図１におけるＡ―Ａの構成略図
【図３】図３は図１におけるＢ―Ｂの構成略図
【図４】図４は図１におけるＣの構成拡大略図
【発明を実施するための形態】
【００１３】
本発明の水性ペン芯の自動取替装置は、筐体１１を含み、前記筺体１１の中には左方に開口した左内部チャンバ４８が設置され、前記左内部チャンバ４８の右側には上方に開口し、且つ前記左内部チャンバ４８と連通した右内部チャンバ４６が設置され、前記左内部チャンバ４８の左側の開口と前記右内部チャンバ４６の上側の開口とにはそれぞれ蓋開け装置２００が設置され、前記左内部チャンバ４８の開口にある前記蓋開け装置２００が前記筺体１１を開けることによって前記左内部チャンバ４８の中にある旧ペン芯を取り出すことができ、前記右内部チャンバ４６の開口にある前記蓋開け装置２００が前記筺体１１を開けることによって前記右内部チャンバ４６の中にはある新ペン芯を取り替えることができ、前記右内部チャンバ４６の後端内壁には上突出台４３が固定的に連結され、前記右内部チャンバ４６の後端内壁には前記上突出台４３の下側にある中突出台４４が固定的に連結され、前記右内部チャンバ４６の後端内壁には前記上突出台４３の左下方にある下突出台４５が固定的に連結され、前記右内部チャンバ４６の後端内壁面には前記下突出台４５の下方にある妨害板４７が固定的に連結され、前記妨害板４７には妨害板抜き穴３５が設置され、前記下突出台４５には溝車装置１００が回転可能に連結され、前記溝車装置１００は大量に新ペン芯を装填することができ、且つ一回の作業においてペン芯を一本しか投入しないのであり、前記溝車装置１００の下方には棒回転装置３００が連結され、前記棒回転装置３００はペンの軸を回すことができ、前記棒回転装置３００の下部分には機械爪４００が固定的に連結され、前記右内部チャンバ４６の中には左右に伸びたネジボルト４９が固定的に連結され、前記右内部チャンバ４６の中には左右に伸び、且つ前記ネジボルト４９の下方にある左モータ軸５５が回転可能に連結され、前記左モータ軸５５の左端には前記右内部チャンバ４６の内壁に固定された左モータ４１が伝動可能に連結され、前記左モータ軸５５の右端には摩擦歯車５６が固定的に連結され、前記ネジボルト４９と前記機械爪４００とはネジ山によって連結され、前記右内部チャンバ４６の内壁には前記左モータ４１の上方にある左位置制限スイッチ４２が固定的に連結され、前記右内部チャンバ４６の内壁には前記左モータ４１の下方にある右位置制限スイッチ５２が固定的に連結されている。
【００１４】
好ましくは、前記溝車装置１００は上下に伸びた溝車軸１４を含み、前記溝車軸１４は前記下突出台４５の上側端面に回転可能に連結され、前記溝車軸１４には前記右内部チャンバ４６の中にある溝車１３が設置され、前記溝車１３には溝車抜き穴３６が九つ環状に配置され、前記溝車１３には前記溝車抜き穴３６の反時計方向側にあるスライド溝２７が設置され、前記中突出台４４には上下に伸び、且つ前記右内部チャンバ４６の中にある斜歯歯車軸２２が回転可能に連結され、前記斜歯歯車軸２２の頂部には前記上突出台４３の内壁に固定された主モータ１６が伝動可能に連結され、前記斜歯歯車軸２２の上部分には前記溝車１３と当接し、且つ前記主モータ１６の下方にある回し輪１５が設置され、前記斜歯歯車軸２２の中部分には前記回し輪１５の下方にある回し棒２１が固定的に連結され、前記筺体１１の右側内壁面には前記回し棒２１の右側にある上位置制限スイッチ５３が固定的に連結され、
溝車と回し棒との構成によって、ペン芯一つ一つの投入を可能にする。
【００１５】
好ましくは、前記右内部チャンバ４６の前記蓋開け装置２００を例とし、前記蓋開け装置２００は前記右内部チャンバ４６の開口のところの右端内壁に設置された空き溝５１を含み、前記空き溝５１の中には上スライドブロック１７がスライド可能に連結され、前記上スライドブロック１７の下端面には上ばね１８が固定的に連結され、前記上ばね１８の下部分は前記空き溝５１の中の下壁面に固定的に連結され、前記右内部チャンバ４６の開口のところにはカバープレート１２が回転可能に連結され、前記右内部チャンバ４６の右側端面には前記空き溝５１の右側にある上引掛り板１９がヒンジで連結され、前記上引掛り板１９はカバープレート１２と引っ掛かって連結され、前記上引掛り板１９の下部分の左壁面には右ばね２０が固定的に連結され、前記右ばね２０の下端は前記右内部チャンバ４６の外壁面に固定的に連結され、
前記カバープレート１２の反転により、右内部チャンバ４６の開閉を制限でき、取り替えに便利である。
【００１６】
好ましくは、前記棒回転装置３００は前記回し棒２１の下方にある斜歯歯車２３を含み、前記斜歯歯車２３は前記斜歯歯車軸２２に固定的に連結され、前記右内部チャンバ４６の中には前後に伸び、且つ前記斜歯歯車軸２２の右側にある大型斜歯歯車軸２５が回転可能に連結され、前記大型斜歯歯車軸２５には前記斜歯歯車２３と噛み合うように連結された大型斜歯歯車２４が設置され、前記大型斜歯歯車２４と前記斜歯歯車２３の速度伝達比は一対一であり、前記大型斜歯歯車２４は欠歯歯車であり、前記大型斜歯歯車２４には連結棒２６がヒンジで連結され、前記連結棒２６の下部分には前記ネジボルト４９の右側に位置した揺動棒２８がヒンジで連結され、前記右内部チャンバ４６の中の中部分には揺動棒軸２９が回転可能に連結され、前記揺動棒軸２９は前記揺動棒２８とヒンジで連結され、前記揺動棒２８には前記機械爪４００が固定的に連結され、
クランク機構に擬似した構成により、ペンの軸を回すことができる。  
【００１７】
好ましくは、前記ネジボルト４９のところの前記機械爪４００を例とし、前記機械爪４００は前記ネジボルト４９とネジ山によって連結された機械爪本体３７を含み、前記機械爪本体３７と前記摩擦歯車５６とは噛み合うように連結され、前記機械爪本体３７には爪空き溝５４が上下対称に設置され、前記機械爪本体３７には爪３９が上下対称に、且つヒンジで連結され、前記爪３９の右部には滑り止めブロック４０が上下対称に、且つ固定的に連結され、前記爪空き溝５４の左側内壁面には機械爪ばね３８が上下対称に、且つ固定的に連結され、前記機械爪ばね３８の右側は前記爪３９に上下対称に、且つ固定的に連結され、
弾性を持つように連結された前記爪３９により、異なる直径を持つペンの軸を固定できる。
【００１８】
はじめに、揺動棒２８は水平面と平行した位置にあり、左側の機械爪４００は右位置制限スイッチ５２と接触できる最右部にあり、回し棒２１は上位置制限スイッチ５３と接触した位置にある。
【００１９】
作動する時、水性ペンを揺動棒２８のところの機械爪４００に入れ、ペン先をネジボルト４９のところの機械爪４００に固定し、機械爪４００は機械爪ばね３８で爪３９に弾性力を与え、それにより、爪３９は水性ペンを締め付けて固定し、左モータ４１を起動し、摩擦歯車５６に機械爪本体３７を連動させてネジボルト４９に沿って左へ螺旋回転させ、それにより、ネジボルト４９のところの機械爪４００は反時計回りに回転し、ペン先を緩めて取り出し、ネジボルト４９のところの機械爪４００が左位置制限スイッチ４２と接触した時、左モータ４１は回転を止め、同時に主モータ１６を起動し、主モータ１６は斜歯歯車軸２２の回転を連動させ、斜歯歯車軸２２は大型斜歯歯車２４の回転を連動させ、大型斜歯歯車２４は連結棒２６を回転連動させることで揺動棒軸２９の回転を連動させ、揺動棒軸２９はまず下の限界位置まで反時計回りに回転し、水性ペンのペン芯を左内部チャンバ４８の中に入れ、そして揺動棒軸２９が縦になるまで時計回りに回転し、ペンの口を妨害板抜き穴３５に向け、且つ水性ペンは妨害板抜き穴３５と軸線が重ね合い、回し棒２１がペン芯を溝車抜き穴３６を経由させて妨害板抜き穴３５に入れ、且つペンの中に落とした後に、揺動棒２８は水平状態になるまで反時計回りに回転し、回し棒２１は上位置制限スイッチ５３に触れ、主モータ１６の回転を止め、同時に左モータ４１を起動し、左モータ４１はネジボルト４９のところの機械爪４００を連動させ、ペン先を回してペンに取り付け、ネジボルト４９のところの機械爪４００が右位置制限スイッチ５２に触れた時、左モータ４１は回転を止め、ペン芯の取り替えを完了し、同時に本装置は初期状態に戻り、新ペン芯が使い切った時に、右内部チャンバ４６のところのカバープレート１２を開けて新しいペン芯を入れることができ、左内部チャンバ４８のところのカバープレート１２を開ければ旧ペン芯を取り出せる。
【００２０】
本発明のメリットは：本発明は高効率のペン芯自動取替装置を設計し、ペン芯を取り替えることと同時に、使用済みのペン芯を収集することもでき、取り替えと処分の手間を省ける。
【００２１】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020183103.tif 000003
【図２】
2020183103.tif 000004
【図３】
2020183103.tif 000005
【図４】
2020183103.tif 000006
【手続補正書】
【提出日】令和1年12月20日(2019.12.20)
【手続補正１】
【補正対象書類名】特許請求の範囲
【補正対象項目名】全文
【補正方法】変更
【補正の内容】
【特許請求の範囲】
【請求項１】
正面視で、筐体を含み、前記筺体の中には左方に開口した左内部チャンバが設置され、前記左内部チャンバの右側には上方に開口し、且つ前記左内部チャンバと連通した右内部チャンバが設置され、前記左内部チャンバの左側の開口と前記右内部チャンバの上側の開口とにはそれぞれ蓋開け装置が設置され、前記左内部チャンバの開口にある前記蓋開け装置が前記筺体を開けることによって前記左内部チャンバの中にある旧ペン芯を取り出すことができ、前記右内部チャンバの開口にある前記蓋開け装置が前記筺体を開けることによって前記右内部チャンバの中にはある新ペン芯を取り替えることができ、前記右内部チャンバの後端内壁には上突出台が固定的に連結され、前記右内部チャンバの後端内壁には前記上突出台の下側にある中突出台が固定的に連結され、前記右内部チャンバの後端内壁には前記上突出台の左下方にある下突出台が固定的に連結され、前記右内部チャンバの後端内壁面には前記下突出台の下方にある妨害板が固定的に連結され、前記妨害板には妨害板抜き穴が設置され、前記下突出台には溝車装置が回転可能に連結され、前記溝車装置は大量に新ペン芯を装填することができ、且つ一回の作業においてペン芯を一本しか投入しないのであり、前記溝車装置の下方には棒回転装置が連結され、前記棒回転装置はペンの軸を回すことができ、前記棒回転装置の下部分には機械爪が設置され、前記右内部チャンバの中には左右に伸びたネジボルトが固定的に連結され、前記右内部チャンバの中には左右に伸び、且つ前記ネジボルトの下方にある左モータ軸が回転可能に連結され、前記左モータ軸の左端には前記右内部チャンバの内壁に固定された左モータが伝動可能に連結され、前記左モータ軸の右端には摩擦歯車が固定的に連結され、前記ネジボルトと前記機械爪とはネジ山によって連結され、前記右内部チャンバの内壁には前記左モータの上方にある左位置制限スイッチが固定的に連結され、前記右内部チャンバの内壁には前記左モータの下方にある右位置制限スイッチが固定的に連結され、
前記溝車装置は上下に伸びた溝車軸を含み、前記溝車軸は前記下突出台の上側端面に回転可能に連結され、前記溝車軸には前記右内部チャンバの中にある溝車が設置され、前記溝車には溝車抜き穴が九つ環状に配置され、前記溝車には前記溝車抜き穴の反時計方向側にあるスライド溝が設置され、前記中突出台には上下に伸び、且つ前記右内部チャンバの中にある斜歯歯車軸が回転可能に連結され、前記斜歯歯車軸の頂部には前記上突出台の内壁に固定された主モータが伝動可能に連結され、前記斜歯歯車軸の上部分には前記溝車と当接し、且つ前記主モータの下方にある回し輪が設置され、前記斜歯歯車軸の中部分には前記回し輪の下方にある回し棒が固定的に連結され、前記筺体の右側内壁面には前記回し棒の右側にある上位置制限スイッチが固定的に連結され、
溝車と回し棒との構成によって、ペン芯一つ一つの投入を可能にすることを特徴とする水性ペン芯の自動取替装置
【請求項２】
前記右内部チャンバの前記蓋開け装置を例とし、前記蓋開け装置は前記右内部チャンバの開口のところの右端内壁に設置された空き溝を含み、前記空き溝の中には上スライドブロックがスライド可能に連結され、前記上スライドブロックの下端面には上ばねが固定的に連結され、前記上ばねの下部分は前記空き溝の中の下壁面に固定的に連結され、前記右内部チャンバの開口のところにはカバープレートが回転可能に連結され、前記右内部チャンバの右側端面には前記空き溝の右側にある上引掛り板がヒンジで連結され、前記上引掛り板はカバープレートと引っ掛かって連結され、前記上引掛り板の下部分の左壁面には右ばねが固定的に連結され、前記右ばねの下端は前記右内部チャンバの外壁面に固定的に連結され、
前記カバープレートの反転により、右内部チャンバの開閉を制限でき、取り替えに便利であることを特徴とする請求項１に記載の水性ペン芯の自動取替装置。
【請求項３】
前記棒回転装置は前記回し棒の下方にある斜歯歯車を含み、前記斜歯歯車は前記斜歯歯車軸に固定的に連結され、前記右内部チャンバの中には前後に伸び、且つ前記斜歯歯車軸の右側にある大型斜歯歯車軸が回転可能に連結され、前記大型斜歯歯車軸には前記斜歯歯車と噛み合うように連結された大型斜歯歯車が設置され、前記大型斜歯歯車と前記斜歯歯車の速度伝達比は一対一であり、前記大型斜歯歯車は欠歯歯車であり、前記大型斜歯歯車には連結棒がヒンジで連結され、前記連結棒の下部分には前記ネジボルトの右側に位置した揺動棒がヒンジで連結され、前記右内部チャンバの中の中部分には揺動棒軸が回転可能に連結され、前記揺動棒軸は前記揺動棒とヒンジで連結され、前記揺動棒には前記機械爪が固定的に連結され、
クランク機構に擬似した構成により、ペンの軸を回すことができることを特徴とする請求項２に記載の水性ペン芯の自動取替装置。
【請求項４】
前記ネジボルトのところの前記機械爪を例とし、前記機械爪は前記ネジボルトとネジ山によって連結された機械爪本体を含み、前記機械爪本体と前記摩擦歯車とは噛み合うように連結され、前記機械爪本体には爪空き溝が上下対称に設置され、前記機械爪本体には爪が上下対称に、且つヒンジで連結され、前記爪の右部には滑り止めブロックが上下対称に、且つ固定的に連結され、前記爪空き溝の左側内壁面には機械爪ばねが上下対称に、且つ固定的に連結され、前記機械爪ばねの右側は前記爪に上下対称に、且つ固定的に連結され、
弾性を持つように連結された前記爪により、異なる直径を持つペンの軸を固定できることを特徴とする請求項１に記載の水性ペン芯の自動取替装置。
【手続補正２】
【補正対象書類名】明細書
【補正対象項目名】全文
【補正方法】変更
【補正の内容】
【発明の詳細な説明】
【技術分野】
【０００１】
本発明は文房具分野を取り上げ、具体的には水性ペン芯の自動取替装置である。
【背景技術】
【０００２】
今時、水性ペン芯の取り替えはすべて手で行われ、自動的な取替装置はまだない。そのため、本発明は高効率のペン芯自動取替装置を設計し、ペン芯を取り替えることと同時に、使用済みのペン芯を収集することもでき、取り替えと処分の手間を省ける。
【先行技術文献】
【特許文献】
【０００３】
【特許文献１】中国特許出願公開第１０７６２７７５９号明細書
【発明の概要】
【発明が解決しようとする課題】
【０００４】
本発明は水性ペン芯の自動取替装置を提供し、既存技術にある上記の欠点を解消することを目的とする。
【課題を解決するための手段】
【０００５】
本発明の水性ペン芯の自動取替装置は、筐体を含み、前記筺体の中には左方に開口した左内部チャンバが設置され、前記左内部チャンバの右側には上方に開口し、且つ前記左内部チャンバと連通した右内部チャンバが設置され、前記左内部チャンバの左側の開口と前記右内部チャンバの上側の開口とにはそれぞれ蓋開け装置が設置され、前記左内部チャンバの開口にある前記蓋開け装置が前記筺体を開けることによって前記左内部チャンバの中にある旧ペン芯を取り出すことができ、前記右内部チャンバの開口にある前記蓋開け装置が前記筺体を開けることによって前記右内部チャンバの中にはある新ペン芯を取り替えることができ、前記右内部チャンバの後端内壁には上突出台が固定的に連結され、前記右内部チャンバの後端内壁には前記上突出台の下側にある中突出台が固定的に連結され、前記右内部チャンバの後端内壁には前記上突出台の左下方にある下突出台が固定的に連結され、前記右内部チャンバの後端内壁面には前記下突出台の下方にある妨害板が固定的に連結され、前記妨害板には妨害板抜き穴が設置され、前記下突出台には溝車装置が回転可能に連結され、前記溝車装置は大量に新ペン芯を装填することができ、且つ一回の作業においてペン芯を一本しか投入しないのであり、前記溝車装置の下方には棒回転装置が連結され、前記棒回転装置はペンの軸を回すことができ、前記棒回転装置の下部分には機械爪が設置され、前記右内部チャンバの中には左右に伸びたネジボルトが固定的に連結され、前記右内部チャンバの中には左右に伸び、且つ前記ネジボルトの下方にある左モータ軸が回転可能に連結され、前記左モータ軸の左端には前記右内部チャンバの内壁に固定された左モータが伝動可能に連結され、前記左モータ軸の右端には摩擦歯車が固定的に連結され、前記ネジボルトと前記機械爪とはネジ山によって連結され、前記右内部チャンバの内壁には前記左モータの上方にある左位置制限スイッチが固定的に連結され、前記右内部チャンバの内壁には前記左モータの下方にある右位置制限スイッチが固定的に連結されている。
【０００６】
優選的に、前記溝車装置は上下に伸びた溝車軸を含み、前記溝車軸は前記下突出台の上側端面に回転可能に連結され、前記溝車軸には前記右内部チャンバの中にある溝車が設置され、前記溝車には溝車抜き穴が九つ環状に配置され、前記溝車には前記溝車抜き穴の反時計方向側にあるスライド溝が設置され、前記中突出台には上下に伸び、且つ前記右内部チャンバの中にある斜歯歯車軸が回転可能に連結され、前記斜歯歯車軸の頂部には前記上突出台の内壁に固定された主モータが伝動可能に連結され、前記斜歯歯車軸の上部分には前記溝車と当接し、且つ前記主モータの下方にある回し輪が設置され、前記斜歯歯車軸の中部分には前記回し輪の下方にある回し棒が固定的に連結され、前記筺体の右側内壁面には前記回し棒の右側にある上位置制限スイッチが固定的に連結され、
溝車と回し棒との構成によって、ペン芯一つ一つの投入を可能にする。
【０００７】
優選的に、前記右内部チャンバの前記蓋開け装置を例とし、前記蓋開け装置は前記右内部チャンバの開口のところの右端内壁に設置された空き溝を含み、前記空き溝の中には上スライドブロックがスライド可能に連結され、前記上スライドブロックの下端面には上ばねが固定的に連結され、前記上ばねの下部分は前記空き溝の中の下壁面に固定的に連結され、前記右内部チャンバの開口のところにはカバープレートが回転可能に連結され、前記右内部チャンバの右側端面には前記空き溝の右側にある上引掛り板がヒンジで連結され、前記上引掛り板はカバープレートと引っ掛かって連結され、前記上引掛り板の下部分の左壁面には右ばねが固定的に連結され、前記右ばねの下端は前記右内部チャンバの外壁面に固定的に連結され、
前記カバープレートの反転により、右内部チャンバの開閉を制限でき、取り替えに便利である。
【０００８】
優選的に、前記棒回転装置は前記回し棒の下方にある斜歯歯車を含み、前記斜歯歯車は前記斜歯歯車軸に固定的に連結され、前記右内部チャンバの中には前後に伸び、且つ前記斜歯歯車軸の右側にある大型斜歯歯車軸が回転可能に連結され、前記大型斜歯歯車軸には前記斜歯歯車と噛み合うように連結された大型斜歯歯車が設置され、前記大型斜歯歯車と前記斜歯歯車の速度伝達比は一対一であり、前記大型斜歯歯車は欠歯歯車であり、前記大型斜歯歯車には連結棒がヒンジで連結され、前記連結棒の下部分には前記ネジボルトの右側に位置した揺動棒がヒンジで連結され、前記右内部チャンバの中の中部分には揺動棒軸が回転可能に連結され、前記揺動棒軸は前記揺動棒とヒンジで連結され、前記揺動棒には前記機械爪が固定的に連結され、
クランク機構に擬似した構成により、ペンの軸を回すことができる。
【０００９】
優選的に、前記ネジボルトのところの前記機械爪を例とし、前記機械爪は前記ネジボルトとネジ山によって連結された機械爪本体を含み、前記機械爪本体と前記摩擦歯車とは噛み合うように連結され、前記機械爪本体には爪空き溝が上下対称に設置され、前記機械爪本体には爪が上下対称に、且つヒンジで連結され、前記爪の右部には滑り止めブロックが上下対称に、且つ固定的に連結され、前記爪空き溝の左側内壁面には機械爪ばねが上下対称に、且つ固定的に連結され、前記機械爪ばねの右側は前記爪に上下対称に、且つ固定的に連結され、
弾性を持つように連結された前記爪により、異なる直径を持つペンの軸を固定できる。
【発明の効果】
【００１０】
本発明のメリットは：本発明は高効率のペン芯自動取替装置を設計し、ペン芯を取り替えることと同時に、使用済みのペン芯を収集することもでき、取り替えと処分の手間を省ける。
【図面の簡単な説明】
【００１１】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１２】
【図１】図１は本発明の水性ペン芯の自動取替装置の全体構成略図
【図２】図２は図１におけるＡ―Ａの構成略図
【図３】図３は図１におけるＢ―Ｂの構成略図
【図４】図４は図１におけるＣの構成拡大略図
【発明を実施するための形態】
【００１３】
本発明の水性ペン芯の自動取替装置は、筐体１１を含み、前記筺体１１の中には左方に開口した左内部チャンバ４８が設置され、前記左内部チャンバ４８の右側には上方に開口し、且つ前記左内部チャンバ４８と連通した右内部チャンバ４６が設置され、前記左内部チャンバ４８の左側の開口と前記右内部チャンバ４６の上側の開口とにはそれぞれ蓋開け装置２００が設置され、前記左内部チャンバ４８の開口にある前記蓋開け装置２００が前記筺体１１を開けることによって前記左内部チャンバ４８の中にある旧ペン芯を取り出すことができ、前記右内部チャンバ４６の開口にある前記蓋開け装置２００が前記筺体１１を開けることによって前記右内部チャンバ４６の中にはある新ペン芯を取り替えることができ、前記右内部チャンバ４６の後端内壁には上突出台４３が固定的に連結され、前記右内部チャンバ４６の後端内壁には前記上突出台４３の下側にある中突出台４４が固定的に連結され、前記右内部チャンバ４６の後端内壁には前記上突出台４３の左下方にある下突出台４５が固定的に連結され、前記右内部チャンバ４６の後端内壁面には前記下突出台４５の下方にある妨害板４７が固定的に連結され、前記妨害板４７には妨害板抜き穴３５が設置され、前記下突出台４５には溝車装置１００が回転可能に連結され、前記溝車装置１００は大量に新ペン芯を装填することができ、且つ一回の作業においてペン芯を一本しか投入しないのであり、前記溝車装置１００の下方には棒回転装置３００が連結され、前記棒回転装置３００はペンの軸を回すことができ、前記棒回転装置３００の下部分には機械爪４００が設置され、前記右内部チャンバ４６の中には左右に伸びたネジボルト４９が固定的に連結され、前記右内部チャンバ４６の中には左右に伸び、且つ前記ネジボルト４９の下方にある左モータ軸５５が回転可能に連結され、前記左モータ軸５５の左端には前記右内部チャンバ４６の内壁に固定された左モータ４１が伝動可能に連結され、前記左モータ軸５５の右端には摩擦歯車５６が固定的に連結され、前記ネジボルト４９と前記機械爪４００とはネジ山によって連結され、前記右内部チャンバ４６の内壁には前記左モータ４１の上方にある左位置制限スイッチ４２が固定的に連結され、前記右内部チャンバ４６の内壁には前記左モータ４１の下方にある右位置制限スイッチ５２が固定的に連結されている。
【００１４】
好ましくは、前記溝車装置１００は上下に伸びた溝車軸１４を含み、前記溝車軸１４は前記下突出台４５の上側端面に回転可能に連結され、前記溝車軸１４には前記右内部チャンバ４６の中にある溝車１３が設置され、前記溝車１３には溝車抜き穴３６が九つ環状に配置され、前記溝車１３には前記溝車抜き穴３６の反時計方向側にあるスライド溝２７が設置され、前記中突出台４４には上下に伸び、且つ前記右内部チャンバ４６の中にある斜歯歯車軸２２が回転可能に連結され、前記斜歯歯車軸２２の頂部には前記上突出台４３の内壁に固定された主モータ１６が伝動可能に連結され、前記斜歯歯車軸２２の上部分には前記溝車１３と当接し、且つ前記主モータ１６の下方にある回し輪１５が設置され、前記斜歯歯車軸２２の中部分には前記回し輪１５の下方にある回し棒２１が固定的に連結され、前記筺体１１の右側内壁面には前記回し棒２１の右側にある上位置制限スイッチ５３が固定的に連結され、
溝車と回し棒との構成によって、ペン芯一つ一つの投入を可能にする。
【００１５】
好ましくは、前記右内部チャンバ４６の前記蓋開け装置２００を例とし、前記蓋開け装置２００は前記右内部チャンバ４６の開口のところの右端内壁に設置された空き溝５１を含み、前記空き溝５１の中には上スライドブロック１７がスライド可能に連結され、前記上スライドブロック１７の下端面には上ばね１８が固定的に連結され、前記上ばね１８の下部分は前記空き溝５１の中の下壁面に固定的に連結され、前記右内部チャンバ４６の開口のところにはカバープレート１２が回転可能に連結され、前記右内部チャンバ４６の右側端面には前記空き溝５１の右側にある上引掛り板１９がヒンジで連結され、前記上引掛り板１９はカバープレート１２と引っ掛かって連結され、前記上引掛り板１９の下部分の左壁面には右ばね２０が固定的に連結され、前記右ばね２０の下端は前記右内部チャンバ４６の外壁面に固定的に連結され、
前記カバープレート１２の反転により、右内部チャンバ４６の開閉を制限でき、取り替えに便利である。
【００１６】
好ましくは、前記棒回転装置３００は前記回し棒２１の下方にある斜歯歯車２３を含み、前記斜歯歯車２３は前記斜歯歯車軸２２に固定的に連結され、前記右内部チャンバ４６の中には前後に伸び、且つ前記斜歯歯車軸２２の右側にある大型斜歯歯車軸２５が回転可能に連結され、前記大型斜歯歯車軸２５には前記斜歯歯車２３と噛み合うように連結された大型斜歯歯車２４が設置され、前記大型斜歯歯車２４と前記斜歯歯車２３の速度伝達比は一対一であり、前記大型斜歯歯車２４は欠歯歯車であり、前記大型斜歯歯車２４には連結棒２６がヒンジで連結され、前記連結棒２６の下部分には前記ネジボルト４９の右側に位置した揺動棒２８がヒンジで連結され、前記右内部チャンバ４６の中の中部分には揺動棒軸２９が回転可能に連結され、前記揺動棒軸２９は前記揺動棒２８とヒンジで連結され、前記揺動棒２８には前記機械爪４００が固定的に連結され、
クランク機構に擬似した構成により、ペンの軸を回すことができる。  
【００１７】
好ましくは、前記ネジボルト４９のところの前記機械爪４００を例とし、前記機械爪４００は前記ネジボルト４９とネジ山によって連結された機械爪本体３７を含み、前記機械爪本体３７と前記摩擦歯車５６とは噛み合うように連結され、前記機械爪本体３７には爪空き溝５４が上下対称に設置され、前記機械爪本体３７には爪３９が上下対称に、且つヒンジで連結され、前記爪３９の右部には滑り止めブロック４０が上下対称に、且つ固定的に連結され、前記爪空き溝５４の左側内壁面には機械爪ばね３８が上下対称に、且つ固定的に連結され、前記機械爪ばね３８の右側は前記爪３９に上下対称に、且つ固定的に連結され、
弾性を持つように連結された前記爪３９により、異なる直径を持つペンの軸を固定できる。
【００１８】
はじめに、揺動棒２８は水平面と平行した位置にあり、左側の機械爪４００は右位置制限スイッチ５２と接触できる最右部にあり、回し棒２１は上位置制限スイッチ５３と接触した位置にある。
【００１９】
作動する時、水性ペンを揺動棒２８のところの機械爪４００に入れ、ペン先をネジボルト４９のところの機械爪４００に固定し、機械爪４００は機械爪ばね３８で爪３９に弾性力を与え、それにより、爪３９は水性ペンを締め付けて固定し、左モータ４１を起動し、摩擦歯車５６に機械爪本体３７を連動させてネジボルト４９に沿って左へ螺旋回転させ、それにより、ネジボルト４９のところの機械爪４００は反時計回りに回転し、ペン先を緩めて取り出し、ネジボルト４９のところの機械爪４００が左位置制限スイッチ４２と接触した時、左モータ４１は回転を止め、同時に主モータ１６を起動し、主モータ１６は斜歯歯車軸２２の回転を連動させ、斜歯歯車軸２２は大型斜歯歯車２４の回転を連動させ、大型斜歯歯車２４は連結棒２６を回転連動させることで揺動棒軸２９の回転を連動させ、揺動棒軸２９はまず下の限界位置まで反時計回りに回転し、水性ペンのペン芯を左内部チャンバ４８の中に入れ、そして揺動棒軸２９が縦になるまで時計回りに回転し、ペンの口を妨害板抜き穴３５に向け、且つ水性ペンは妨害板抜き穴３５と軸線が重ね合い、回し棒２１がペン芯を溝車抜き穴３６を経由させて妨害板抜き穴３５に入れ、且つペンの中に落とした後に、揺動棒２８は水平状態になるまで反時計回りに回転し、回し棒２１は上位置制限スイッチ５３に触れ、主モータ１６の回転を止め、同時に左モータ４１を起動し、左モータ４１はネジボルト４９のところの機械爪４００を連動させ、ペン先を回してペンに取り付け、ネジボルト４９のところの機械爪４００が右位置制限スイッチ５２に触れた時、左モータ４１は回転を止め、ペン芯の取り替えを完了し、同時に本装置は初期状態に戻り、新ペン芯が使い切った時に、右内部チャンバ４６のところのカバープレート１２を開けて新しいペン芯を入れることができ、左内部チャンバ４８のところのカバープレート１２を開ければ旧ペン芯を取り出せる。
【００２０】
本発明のメリットは：本発明は高効率のペン芯自動取替装置を設計し、ペン芯を取り替えることと同時に、使用済みのペン芯を収集することもでき、取り替えと処分の手間を省ける。
【００２１】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【手続補正書】
【提出日】令和2年4月16日(2020.4.16)
【手続補正１】
【補正対象書類名】特許請求の範囲
【補正対象項目名】全文
【補正方法】変更
【補正の内容】
【特許請求の範囲】
【請求項１】
正面視で、筐体を含み、前記筺体の中には左方に開口した左内部チャンバが設置され、前記左内部チャンバの右側には上方に開口し、且つ前記左内部チャンバと連通した右内部チャンバが設置され、前記左内部チャンバの左側の開口と前記右内部チャンバの上側の開口とにはそれぞれ蓋開け装置が設置され、前記左内部チャンバの開口にある前記蓋開け装置が前記筺体を開けることによって前記左内部チャンバの中にある旧ペン芯を取り出すことができ、前記右内部チャンバの開口にある前記蓋開け装置が前記筺体を開けることによって前記右内部チャンバの中にはある新ペン芯を取り替えることができ、前記右内部チャンバの後端内壁には上突出台が固定的に連結され、前記右内部チャンバの後端内壁には前記上突出台の下側にある中突出台が固定的に連結され、前記右内部チャンバの後端内壁には前記上突出台の左下方にある下突出台が固定的に連結され、前記右内部チャンバの後端内壁面には前記下突出台の下方にある妨害板が固定的に連結され、前記妨害板には妨害板抜き穴が設置され、前記下突出台には溝車装置が回転可能に連結され、前記溝車装置は大量に新ペン芯を装填することができ、且つ一回の作業においてペン芯を一本しか投入しないのであり、前記溝車装置の下方には棒回転装置が連結され、前記棒回転装置はペンの軸を回すことができ、前記棒回転装置の下部分には機械爪が設置され、前記右内部チャンバの中には左右に伸びたネジボルトが固定的に連結され、前記右内部チャンバの中には左右に伸び、且つ前記ネジボルトの下方にある左モータ軸が回転可能に連結され、前記左モータ軸の左端には前記右内部チャンバの内壁に固定された左モータが伝動可能に連結され、前記左モータ軸の右端には摩擦歯車が固定的に連結され、前記ネジボルトと前記機械爪とはネジ山によって連結され、前記右内部チャンバの内壁には前記左モータの上方にある左位置制限スイッチが固定的に連結され、前記右内部チャンバの内壁には前記左モータの下方にある右位置制限スイッチが固定的に連結され、
前記溝車装置は上下に伸びた溝車軸を含み、前記溝車軸は前記下突出台の上側端面に回転可能に連結され、前記溝車軸には前記右内部チャンバの中にある溝車が設置され、前記溝車には溝車抜き穴が九つ環状に配置され、前記溝車には前記溝車抜き穴の反時計方向側にあるスライド溝が設置され、前記中突出台には上下に伸び、且つ前記右内部チャンバの中にある斜歯歯車軸が回転可能に連結され、前記斜歯歯車軸の頂部には前記上突出台の内壁に固定された主モータが伝動可能に連結され、前記斜歯歯車軸の上部分には前記溝車と当接し、且つ前記主モータの下方にある回し輪が設置され、前記斜歯歯車軸の中部分には前記回し輪の下方にある回し棒が固定的に連結され、前記筺体の右側内壁面には前記回し棒の右側にある上位置制限スイッチが固定的に連結され、
溝車と回し棒との構成によって、ペン芯一つ一つの投入を可能にすることを特徴とする水性ペン芯の自動取替装置。
【請求項２】
前記右内部チャンバの前記蓋開け装置と前記左内部チャンバの前記蓋開け装置において、前記蓋開け装置は前記右内部チャンバの開口のところの右端内壁に設置された空き溝を含み、前記空き溝の中には上スライドブロックがスライド可能に連結され、前記上スライドブロックの下端面には上ばねが固定的に連結され、前記上ばねの下部分は前記空き溝の中の下壁面に固定的に連結され、前記右内部チャンバの開口のところにはカバープレートが回転可能に連結され、前記右内部チャンバの右側端面には前記空き溝の右側にある上引掛り板がヒンジで連結され、前記上引掛り板はカバープレートと引っ掛かって連結され、前記上引掛り板の下部分の左壁面には右ばねが固定的に連結され、前記右ばねの下端は前記右内部チャンバの外壁面に固定的に連結され、
前記カバープレートの反転により、右内部チャンバの開閉を制限でき、取り替えに便利であることを特徴とする請求項１に記載の水性ペン芯の自動取替装置。
【請求項３】
前記棒回転装置は前記回し棒の下方にある斜歯歯車を含み、前記斜歯歯車は前記斜歯歯車軸に固定的に連結され、前記右内部チャンバの中には前後に伸び、且つ前記斜歯歯車軸の右側にある大型斜歯歯車軸が回転可能に連結され、前記大型斜歯歯車軸には前記斜歯歯車と噛み合うように連結された大型斜歯歯車が設置され、前記大型斜歯歯車と前記斜歯歯車の速度伝達比は一対一であり、前記大型斜歯歯車は欠歯歯車であり、前記大型斜歯歯車には連結棒がヒンジで連結され、前記連結棒の下部分には前記ネジボルトの右側に位置した揺動棒がヒンジで連結され、前記右内部チャンバの中の中部分には揺動棒軸が回転可能に連結され、前記揺動棒軸は前記揺動棒とヒンジで連結され、前記揺動棒には前記機械爪が固定的に連結され、
クランク機構に擬似した構成により、ペンの軸を回すことができることを特徴とする請求項２に記載の水性ペン芯の自動取替装置。
【請求項４】
前記ネジボルトのところの前記機械爪において、前記機械爪は前記ネジボルトとネジ山によって連結された機械爪本体を含み、前記機械爪本体と前記摩擦歯車とは噛み合うように連結され、前記機械爪本体には爪空き溝が上下対称に設置され、前記機械爪本体には爪が上下対称に、且つヒンジで連結され、前記爪の右部には滑り止めブロックが上下対称に、且つ固定的に連結され、前記爪空き溝の左側内壁面には機械爪ばねが上下対称に、且つ固定的に連結され、前記機械爪ばねの右側は前記爪に上下対称に、且つ固定的に連結され、
弾性を持つように連結された前記爪により、異なる直径を持つペンの軸を固定できることを特徴とする請求項１に記載の水性ペン芯の自動取替装置。
【手続補正２】
【補正対象書類名】明細書
【補正対象項目名】全文
【補正方法】変更
【補正の内容】
【発明の詳細な説明】
【技術分野】
【０００１】
本発明は文房具分野を取り上げ、具体的には水性ペン芯の自動取替装置である。
【背景技術】
【０００２】
今時、水性ペン芯の取り替えはすべて手で行われ、自動的な取替装置はまだない。そのため、本発明は高効率のペン芯自動取替装置を設計し、ペン芯を取り替えることと同時に、使用済みのペン芯を収集することもでき、取り替えと処分の手間を省ける。
【先行技術文献】
【特許文献】
【０００３】
【特許文献１】中国特許出願公開第１０７６２７７５９号明細書
【発明の概要】
【発明が解決しようとする課題】
【０００４】
本発明は水性ペン芯の自動取替装置を提供し、既存技術にある上記の欠点を解消することを目的とする。
【課題を解決するための手段】
【０００５】
本発明の水性ペン芯の自動取替装置は、筐体を含み、前記筺体の中には左方に開口した左内部チャンバが設置され、前記左内部チャンバの右側には上方に開口し、且つ前記左内部チャンバと連通した右内部チャンバが設置され、前記左内部チャンバの左側の開口と前記右内部チャンバの上側の開口とにはそれぞれ蓋開け装置が設置され、前記左内部チャンバの開口にある前記蓋開け装置が前記筺体を開けることによって前記左内部チャンバの中にある旧ペン芯を取り出すことができ、前記右内部チャンバの開口にある前記蓋開け装置が前記筺体を開けることによって前記右内部チャンバの中にはある新ペン芯を取り替えることができ、前記右内部チャンバの後端内壁には上突出台が固定的に連結され、前記右内部チャンバの後端内壁には前記上突出台の下側にある中突出台が固定的に連結され、前記右内部チャンバの後端内壁には前記上突出台の左下方にある下突出台が固定的に連結され、前記右内部チャンバの後端内壁面には前記下突出台の下方にある妨害板が固定的に連結され、前記妨害板には妨害板抜き穴が設置され、前記下突出台には溝車装置が回転可能に連結され、前記溝車装置は大量に新ペン芯を装填することができ、且つ一回の作業においてペン芯を一本しか投入しないのであり、前記溝車装置の下方には棒回転装置が連結され、前記棒回転装置はペンの軸を回すことができ、前記棒回転装置の下部分には機械爪が設置され、前記右内部チャンバの中には左右に伸びたネジボルトが固定的に連結され、前記右内部チャンバの中には左右に伸び、且つ前記ネジボルトの下方にある左モータ軸が回転可能に連結され、前記左モータ軸の左端には前記右内部チャンバの内壁に固定された左モータが伝動可能に連結され、前記左モータ軸の右端には摩擦歯車が固定的に連結され、前記ネジボルトと前記機械爪とはネジ山によって連結され、前記右内部チャンバの内壁には前記左モータの上方にある左位置制限スイッチが固定的に連結され、前記右内部チャンバの内壁には前記左モータの下方にある右位置制限スイッチが固定的に連結されている。
【０００６】
優選的に、前記溝車装置は上下に伸びた溝車軸を含み、前記溝車軸は前記下突出台の上側端面に回転可能に連結され、前記溝車軸には前記右内部チャンバの中にある溝車が設置され、前記溝車には溝車抜き穴が九つ環状に配置され、前記溝車には前記溝車抜き穴の反時計方向側にあるスライド溝が設置され、前記中突出台には上下に伸び、且つ前記右内部チャンバの中にある斜歯歯車軸が回転可能に連結され、前記斜歯歯車軸の頂部には前記上突出台の内壁に固定された主モータが伝動可能に連結され、前記斜歯歯車軸の上部分には前記溝車と当接し、且つ前記主モータの下方にある回し輪が設置され、前記斜歯歯車軸の中部分には前記回し輪の下方にある回し棒が固定的に連結され、前記筺体の右側内壁面には前記回し棒の右側にある上位置制限スイッチが固定的に連結され、
溝車と回し棒との構成によって、ペン芯一つ一つの投入を可能にする。
【０００７】
優選的に、前記右内部チャンバの前記蓋開け装置と前記左内部チャンバの前記蓋開け装置において、前記蓋開け装置は前記右内部チャンバの開口のところの右端内壁に設置された空き溝を含み、前記空き溝の中には上スライドブロックがスライド可能に連結され、前記上スライドブロックの下端面には上ばねが固定的に連結され、前記上ばねの下部分は前記空き溝の中の下壁面に固定的に連結され、前記右内部チャンバの開口のところにはカバープレートが回転可能に連結され、前記右内部チャンバの右側端面には前記空き溝の右側にある上引掛り板がヒンジで連結され、前記上引掛り板はカバープレートと引っ掛かって連結され、前記上引掛り板の下部分の左壁面には右ばねが固定的に連結され、前記右ばねの下端は前記右内部チャンバの外壁面に固定的に連結され、
前記カバープレートの反転により、右内部チャンバの開閉を制限でき、取り替えに便利である。
【０００８】
優選的に、前記棒回転装置は前記回し棒の下方にある斜歯歯車を含み、前記斜歯歯車は前記斜歯歯車軸に固定的に連結され、前記右内部チャンバの中には前後に伸び、且つ前記斜歯歯車軸の右側にある大型斜歯歯車軸が回転可能に連結され、前記大型斜歯歯車軸には前記斜歯歯車と噛み合うように連結された大型斜歯歯車が設置され、前記大型斜歯歯車と前記斜歯歯車の速度伝達比は一対一であり、前記大型斜歯歯車は欠歯歯車であり、前記大型斜歯歯車には連結棒がヒンジで連結され、前記連結棒の下部分には前記ネジボルトの右側に位置した揺動棒がヒンジで連結され、前記右内部チャンバの中の中部分には揺動棒軸が回転可能に連結され、前記揺動棒軸は前記揺動棒とヒンジで連結され、前記揺動棒には前記機械爪が固定的に連結され、
クランク機構に擬似した構成により、ペンの軸を回すことができる。
【０００９】
優選的に、前記ネジボルトのところの前記機械爪において、前記機械爪は前記ネジボルトとネジ山によって連結された機械爪本体を含み、前記機械爪本体と前記摩擦歯車とは噛み合うように連結され、前記機械爪本体には爪空き溝が上下対称に設置され、前記機械爪本体には爪が上下対称に、且つヒンジで連結され、前記爪の右部には滑り止めブロックが上下対称に、且つ固定的に連結され、前記爪空き溝の左側内壁面には機械爪ばねが上下対称に、且つ固定的に連結され、前記機械爪ばねの右側は前記爪に上下対称に、且つ固定的に連結され、
弾性を持つように連結された前記爪により、異なる直径を持つペンの軸を固定できる。
【発明の効果】
【００１０】
本発明のメリットは：本発明は高効率のペン芯自動取替装置を設計し、ペン芯を取り替えることと同時に、使用済みのペン芯を収集することもでき、取り替えと処分の手間を省ける。
【図面の簡単な説明】
【００１１】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１２】
【図１】図１は本発明の水性ペン芯の自動取替装置の全体構成略図
【図２】図２は図１におけるＡ―Ａの構成略図
【図３】図３は図１におけるＢ―Ｂの構成略図
【図４】図４は図１におけるＣの構成拡大略図
【発明を実施するための形態】
【００１３】
本発明の水性ペン芯の自動取替装置は、筐体１１を含み、前記筺体１１の中には左方に開口した左内部チャンバ４８が設置され、前記左内部チャンバ４８の右側には上方に開口し、且つ前記左内部チャンバ４８と連通した右内部チャンバ４６が設置され、前記左内部チャンバ４８の左側の開口と前記右内部チャンバ４６の上側の開口とにはそれぞれ蓋開け装置２００が設置され、前記左内部チャンバ４８の開口にある前記蓋開け装置２００が前記筺体１１を開けることによって前記左内部チャンバ４８の中にある旧ペン芯を取り出すことができ、前記右内部チャンバ４６の開口にある前記蓋開け装置２００が前記筺体１１を開けることによって前記右内部チャンバ４６の中にはある新ペン芯を取り替えることができ、前記右内部チャンバ４６の後端内壁には上突出台４３が固定的に連結され、前記右内部チャンバ４６の後端内壁には前記上突出台４３の下側にある中突出台４４が固定的に連結され、前記右内部チャンバ４６の後端内壁には前記上突出台４３の左下方にある下突出台４５が固定的に連結され、前記右内部チャンバ４６の後端内壁面には前記下突出台４５の下方にある妨害板４７が固定的に連結され、前記妨害板４７には妨害板抜き穴３５が設置され、前記下突出台４５には溝車装置１００が回転可能に連結され、前記溝車装置１００は大量に新ペン芯を装填することができ、且つ一回の作業においてペン芯を一本しか投入しないのであり、前記溝車装置１００の下方には棒回転装置３００が連結され、前記棒回転装置３００はペンの軸を回すことができ、前記棒回転装置３００の下部分には機械爪４００が設置され、前記右内部チャンバ４６の中には左右に伸びたネジボルト４９が固定的に連結され、前記右内部チャンバ４６の中には左右に伸び、且つ前記ネジボルト４９の下方にある左モータ軸５５が回転可能に連結され、前記左モータ軸５５の左端には前記右内部チャンバ４６の内壁に固定された左モータ４１が伝動可能に連結され、前記左モータ軸５５の右端には摩擦歯車５６が固定的に連結され、前記ネジボルト４９と前記機械爪４００とはネジ山によって連結され、前記右内部チャンバ４６の内壁には前記左モータ４１の上方にある左位置制限スイッチ４２が固定的に連結され、前記右内部チャンバ４６の内壁には前記左モータ４１の下方にある右位置制限スイッチ５２が固定的に連結されている。
【００１４】
好ましくは、前記溝車装置１００は上下に伸びた溝車軸１４を含み、前記溝車軸１４は前記下突出台４５の上側端面に回転可能に連結され、前記溝車軸１４には前記右内部チャンバ４６の中にある溝車１３が設置され、前記溝車１３には溝車抜き穴３６が九つ環状に配置され、前記溝車１３には前記溝車抜き穴３６の反時計方向側にあるスライド溝２７が設置され、前記中突出台４４には上下に伸び、且つ前記右内部チャンバ４６の中にある斜歯歯車軸２２が回転可能に連結され、前記斜歯歯車軸２２の頂部には前記上突出台４３の内壁に固定された主モータ１６が伝動可能に連結され、前記斜歯歯車軸２２の上部分には前記溝車１３と当接し、且つ前記主モータ１６の下方にある回し輪１５が設置され、前記斜歯歯車軸２２の中部分には前記回し輪１５の下方にある回し棒２１が固定的に連結され、前記筺体１１の右側内壁面には前記回し棒２１の右側にある上位置制限スイッチ５３が固定的に連結され、
溝車と回し棒との構成によって、ペン芯一つ一つの投入を可能にする。
【００１５】
好ましくは、前記右内部チャンバ４６の前記蓋開け装置２００と前記左内部チャンバ４８の前記蓋開け装置２００において、前記蓋開け装置２００は前記右内部チャンバ４６の開口のところの右端内壁に設置された空き溝５１を含み、前記空き溝５１の中には上スライドブロック１７がスライド可能に連結され、前記上スライドブロック１７の下端面には上ばね１８が固定的に連結され、前記上ばね１８の下部分は前記空き溝５１の中の下壁面に固定的に連結され、前記右内部チャンバ４６の開口のところにはカバープレート１２が回転可能に連結され、前記右内部チャンバ４６の右側端面には前記空き溝５１の右側にある上引掛り板１９がヒンジで連結され、前記上引掛り板１９はカバープレート１２と引っ掛かって連結され、前記上引掛り板１９の下部分の左壁面には右ばね２０が固定的に連結され、前記右ばね２０の下端は前記右内部チャンバ４６の外壁面に固定的に連結され、
前記カバープレート１２の反転により、右内部チャンバ４６の開閉を制限でき、取り替えに便利である。
【００１６】
好ましくは、前記棒回転装置３００は前記回し棒２１の下方にある斜歯歯車２３を含み、前記斜歯歯車２３は前記斜歯歯車軸２２に固定的に連結され、前記右内部チャンバ４６の中には前後に伸び、且つ前記斜歯歯車軸２２の右側にある大型斜歯歯車軸２５が回転可能に連結され、前記大型斜歯歯車軸２５には前記斜歯歯車２３と噛み合うように連結された大型斜歯歯車２４が設置され、前記大型斜歯歯車２４と前記斜歯歯車２３の速度伝達比は一対一であり、前記大型斜歯歯車２４は欠歯歯車であり、前記大型斜歯歯車２４には連結棒２６がヒンジで連結され、前記連結棒２６の下部分には前記ネジボルト４９の右側に位置した揺動棒２８がヒンジで連結され、前記右内部チャンバ４６の中の中部分には揺動棒軸２９が回転可能に連結され、前記揺動棒軸２９は前記揺動棒２８とヒンジで連結され、前記揺動棒２８には前記機械爪４００が固定的に連結され、
クランク機構に擬似した構成により、ペンの軸を回すことができる。  
【００１７】
好ましくは、前記ネジボルト４９のところの前記機械爪４００において、前記機械爪４００は前記ネジボルト４９とネジ山によって連結された機械爪本体３７を含み、前記機械爪本体３７と前記摩擦歯車５６とは噛み合うように連結され、前記機械爪本体３７には爪空き溝５４が上下対称に設置され、前記機械爪本体３７には爪３９が上下対称に、且つヒンジで連結され、前記爪３９の右部には滑り止めブロック４０が上下対称に、且つ固定的に連結され、前記爪空き溝５４の左側内壁面には機械爪ばね３８が上下対称に、且つ固定的に連結され、前記機械爪ばね３８の右側は前記爪３９に上下対称に、且つ固定的に連結され、
弾性を持つように連結された前記爪３９により、異なる直径を持つペンの軸を固定できる。
【００１８】
はじめに、揺動棒２８は水平面と平行した位置にあり、左側の機械爪４００は右位置制限スイッチ５２と接触できる最右部にあり、回し棒２１は上位置制限スイッチ５３と接触した位置にある。
【００１９】
作動する時、水性ペンを揺動棒２８のところの機械爪４００に入れ、ペン先をネジボルト４９のところの機械爪４００に固定し、機械爪４００は機械爪ばね３８で爪３９に弾性力を与え、それにより、爪３９は水性ペンを締め付けて固定し、左モータ４１を起動し、摩擦歯車５６に機械爪本体３７を連動させてネジボルト４９に沿って左へ螺旋回転させ、それにより、ネジボルト４９のところの機械爪４００は反時計回りに回転し、ペン先を緩めて取り出し、ネジボルト４９のところの機械爪４００が左位置制限スイッチ４２と接触した時、左モータ４１は回転を止め、同時に主モータ１６を起動し、主モータ１６は斜歯歯車軸２２の回転を連動させ、斜歯歯車軸２２は大型斜歯歯車２４の回転を連動させ、大型斜歯歯車２４は連結棒２６を回転連動させることで揺動棒軸２９の回転を連動させ、揺動棒軸２９はまず下の限界位置まで反時計回りに回転し、水性ペンのペン芯を左内部チャンバ４８の中に入れ、そして揺動棒軸２９が縦になるまで時計回りに回転し、ペンの口を妨害板抜き穴３５に向け、且つ水性ペンは妨害板抜き穴３５と軸線が重ね合い、回し棒２１がペン芯を溝車抜き穴３６を経由させて妨害板抜き穴３５に入れ、且つペンの中に落とした後に、揺動棒２８は水平状態になるまで反時計回りに回転し、回し棒２１は上位置制限スイッチ５３に触れ、主モータ１６の回転を止め、同時に左モータ４１を起動し、左モータ４１はネジボルト４９のところの機械爪４００を連動させ、ペン先を回してペンに取り付け、ネジボルト４９のところの機械爪４００が右位置制限スイッチ５２に触れた時、左モータ４１は回転を止め、ペン芯の取り替えを完了し、同時に本装置は初期状態に戻り、新ペン芯が使い切った時に、右内部チャンバ４６のところのカバープレート１２を開けて新しいペン芯を入れることができ、左内部チャンバ４８のところのカバープレート１２を開ければ旧ペン芯を取り出せる。
【００２０】
本発明のメリットは：本発明は高効率のペン芯自動取替装置を設計し、ペン芯を取り替えることと同時に、使用済みのペン芯を収集することもでき、取り替えと処分の手間を省ける。
【００２１】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。